(57)【要約】【課題】利用者の利便性を確保しつつ、コンピュータ装置の消費電力を削減する電源制御システムを提供する。【解決手段】入館認証装置と、退館認証装置と、入室認証装置と、退室認証装置と、利用者の認証を行い、各認証装置で取得された情報に基づいて利用者コードと入退館・入退室情報を出力する入退館・入退室管理装置と、コンピュータ装置と、利用者コードに対応したコンピュータ装置の情報を取得し、該コンピュータ装置の電源状態を制御する制御部と、を含む電源制御装置とを備える。電源制御装置の制御部は、入室の場合に第１の電源状態に電源状態を移行し、退室の場合に第１の電源状態よりも消費電力が少ない第２の電源状態に電源状態を移行し、退館の場合に第２の電源状態よりも消費電力が少なく、動作可能な状態に復帰するまでに要する時間が第２の電源状態よりも長い第３の電源状態に、移行するように制御する。【選択図】図１
2015106350.tif 000002
【特許請求の範囲】
【請求項１】
入館の認証に必要な情報を取得する入館認証装置と、
退館の認証に必要な情報を取得する退館認証装置と、
入室の認証に必要な情報を取得する入室認証装置と、
退室の認証に必要な情報を取得する退室認証装置と、
入館及び退館が許可された利用者の情報と、入室及び退室が許可された利用者の情報とを、登録した利用者データベースを含み、前記入館認証装置、前記退館認証装置、前記入室認証装置、及び前記退室認証装置の各々で取得された前記情報をキーに前記利用者データベースを検索して認証を行い、前記認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を出力する入退館・入退室管理装置と、
前記利用者を識別する情報に対応して設けられた電子機器と、
利用者を識別する情報毎に対応する電子機器の情報を登録した電子機器データベースと、前記入退館・入退室管理装置が出力した利用者を識別する情報をキーに前記電子機器データベースを検索して当該利用者を識別する情報に対応した電子機器の情報を取得し、前記入退館・入退室管理装置が出力した前記入退館・入退室情報に応じて当該利用者を識別する情報に対応した電子機器の電源状態を制御する制御部と、を含む電源制御装置と、
を備え、
前記電源制御装置の制御部は、
前記入退館・入退室情報が前記入室認証装置を示す場合に、第１の電源状態に前記電子機器の電源状態を移行し、
前記入退館・入退室情報が前記退室認証装置を示す場合に、前記第１の電源状態よりも消費電力が少ない第２の電源状態に前記電子機器の電源状態を移行するように制御する、ことを特徴とする電源制御システム。
【請求項２】
前記電源制御装置の制御部は、
前記入退館・入退室情報が前記退館認証装置を示す場合に、前記第２の電源状態よりも消費電力が少なく、前記第１の電源状態で動作可能な状態に復帰するまでに要する時間が前記第２の電源状態よりも長い第３の電源状態に、前記電子機器の電源状態を移行するように制御する、ことを特徴とする請求項１に記載の電源制御システム。
【請求項３】
前記電源制御装置の前記制御部は、前記電子機器を前記第２の電源状態から前記第３の電源状態に移行させるときに、前記電子機器を前記第１の電源状態に移行させた後に、前記第３の電源状態に移行させることを特徴とする請求項１または２に記載の電源制御システム。
【請求項４】
前記第１の電源状態は稼働状態であり、前記第２の電源状態はスリープ状態であり、前記第３の電源状態は電源オフ状態であることを特徴とする請求項２または３に記載の電源制御システム。
【請求項５】
前記電源制御装置の前記制御部による電源状態の制御は、ＷＯＬ（Ｗａｋｅ  Ｏｎ  ＬＡＮ）により行われることを特徴とする請求項１乃至４のいずれか一に記載の電源制御システム。
【請求項６】
前記入退館・入退室管理装置は、部屋への入室及び部屋からの退室に対する認証に基づいて、前記部屋内の人数を監視し、
前記入退館・入退室管理装置により監視された前記部屋内の人数が０になったことを受けて、前記部屋に設置されている環境設備をオフするように制御する、ことを特徴とする請求項１乃至５のいずれか一に記載の電源制御システム。
【請求項７】
前記入退館・入退室管理装置は、部屋内の複数のエリアの各々に対して設置された環境設備を個別にオン・オフ制御するように構成され、
前記電子機器データベースは、前記利用者を識別する情報に対応した前記電子機器が設置されている前記エリアの情報をさらに含み、
前記電源制御装置の前記制御部は、前記複数のエリアの各々に対して、前記第１の電源状態にある前記電子機器の数を監視し、
前記入退館・入退室管理装置は、前記電源制御装置の前記制御部より、前記複数のエリアのうち、前記第１の電源状態にある前記電子機器の数が０になった前記エリアの情報を受けて、当該エリアに対応した前記環境設備をオフするように制御する、ことを特徴とする請求項１乃至６のいずれか一に記載の電源制御システム。
【請求項８】
入館の認証に必要な情報を取得する入館認証装置、退館の認証に必要な情報を取得する退館認証装置、入室の認証に必要な情報を取得する入室認証装置、及び退室の認証に必要な情報を取得する退室認証装置の各々で取得された前記情報に基づいて行われた認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を取得し、
利用者を識別する情報毎に対応する電子機器の情報を登録した電子機器データベースと、
前記認証に成功した利用者に付与された利用者を識別する情報をキーに前記電子機器データベースを検索して当該利用者を識別する情報に対応した電子機器の情報を取得し、前記入退館・入退室情報に応じて当該利用者を識別する情報に対応した前記電子機器の電源状態を制御する制御部と、
を備え、
前記制御部は、
前記入退館・入退室情報が前記入室認証装置を示す場合に、第１の電源状態に前記電子機器の電源状態を移行するように制御し、
前記入退館・入退室情報が前記退室認証装置を示す場合に、前記第１の電源状態よりも消費電力が少ない第２の電源状態に前記電子機器の電源状態を移行するように制御する、ことを特徴とする電源制御装置。
【請求項９】
入館の認証を行う第１の認証ステップと、
退館の認証を行う第２の認証ステップと、
入室の認証を行う第３の認証ステップと、
退室の認証を行う第４の認証ステップと、
前記第１乃至第４の認証ステップの各々において、認証に成功した利用者に付与されている利用者を識別する情報と、前記認証が入館、退館、入室、及び退室のいずれに対する認証であるかを示し、前記認証が入室又は退室に対する認証である場合には対応する部屋の情報を含む入退館・入退室情報とを出力するステップと、
利用者を識別する情報毎に対応する電子機器の情報を登録した電子機器データベースを、前記認証に成功した利用者に付与された利用者を識別する情報をキーに検索して、当該利用者を識別する情報に対応した電子機器の情報を取得するステップと、
前記入退館・入退室情報が入室に対する認証を示す場合に、第１の電源状態に前記電子機器の電源状態を移行するように制御する第１の制御ステップと、
前記入退館・入退室情報が退室に対する認証を示す場合に、前記第１の電源状態よりも消費電力が少ない第２の電源状態に前記電子機器の電源状態を移行するように制御する第２の制御ステップと、
を含むことを特徴とする電源制御方法。
【請求項１０】
入館の認証、退館の認証、入室の認証、及び退室の認証の各々において認証に成功した利用者に付与された利用者を識別する情報と、前記認証が入館、退館、入室、及び退室のいずれに対する認証であるかを示し、前記認証が入室又は退室に対する認証である場合には対応する部屋の情報を含む入退館・入退室情報と、を取得する処理と、
利用者を識別する情報毎に対応する電子機器を登録した電子機器データベースを、前記認証に成功した利用者に付与されている利用者を識別する情報をキーに検索して、当該利用者を識別する情報に対応した電子機器の情報を取得する処理と、
前記入退館・入退室情報が入室に対する認証を示す場合に、前記電子機器の電源状態を第１の電源状態に移行するように制御する処理と、
前記入退館・入退室情報が退室に対する認証を示す場合に、前記電子機器の電源状態を前記第１の電源状態よりも消費電力が少ない第２の電源状態に移行するように制御する処理と、をコンピュータに実行させることを特徴とするプログラム。
【発明の詳細な説明】
【技術分野】
【０００１】
本発明は、電源制御システム、電源制御装置、電源制御方法、及びプログラムに関し、特に、コンピュータ装置等の電源状態を制御する電源制御システム、電源制御装置、電源制御方法、及びプログラムに関する。
【背景技術】
【０００２】
近年、オフィスの省エネルギー化が求められ、様々な取り組みが行われている。中でも、オフィスに設置されたコンピュータ装置の消費電力の削減が重要な課題となっている。
【０００３】
一般的なコンピュータ装置（例えば、ＰＣ（Personal Computer）等）において、消費電力を削減するため、一定期間、操作入力がなかった場合にスリープ状態に遷移するように制御する機能を有するものが知られている。
【０００４】
なお、特許文献１には、小規模な設備で消費電力を低減する入退室管理システムが開示されている。該入退室管理システムでは、管理エリアに利用者が存在する状態から存在しない状態に移行した場合に、退室用認証装置を通常状態からスリープ状態に移行するように制御することで、消費電力の低減を可能としている。
【０００５】
また、特許文献２には、建物への入館を検知したときに、その入館者が入室する居住空間を予測することで、システムの構成を簡単化することができる入退室管理システムが開示されている。該入退室管理システムでは、利用者それぞれについて、各居住空間への入室回数の統計をとり、入室回数の多い居住空間を入館後に必ず入室する居住空間であると予測している。各居住空間には、入室回数の統計をとるために使用する入室用認証装置のみがあればよく、退室用認証装置を設ける必要がなくなり、システムの構成を簡単化することを可能としている。
【先行技術文献】
【特許文献】
【０００６】
【特許文献１】特開２０１０−２５７３１３号公報
【特許文献２】特開２０１１−４７１４９号公報
【発明の概要】
【発明が解決しようとする課題】
【０００７】
以下の分析は、本発明によって与えられたものである。
【０００８】
一般的なコンピュータ装置の電源状態の制御として前述したスリープ状態へ遷移させる制御の場合、メモリ上のデータを保持するためのリフレッシュに電力が消費される。そのため、コンピュータ装置を長時間使用しない場合には、スリープ状態よりも電源オフ状態等に遷移させることが望ましい。一方、早く稼働状態に復帰させ、利用者が使用できる状態にするには、電源オフ状態等からの復帰では時間がかかり利用者は待たされることになる。即ち、消費電力の削減と利用者の利便性（例えば、復帰時間）の間にはトレードオフがある。そこで、オフィス等において、利用者の状況（例えば、短時間席を離れるのか、長時間不在になるのか等）に応じて、コンピュータ装置の電源状態を制御し、利用者の利便性を確保しつつ、消費電力を削減する電力制御システムの実現が期待されている。
【０００９】
上記特許文献１では、退室用認証装置を通常状態からスリープ状態に移行するように制御することで省電力化が可能であるとしているが、オフィス等に設置されたコンピュータ装置に関する上記した問題については、これらの問題点に関する認識を欠いており、このため、十分な検討はなされていない。
【００１０】
また、上記特許文献２では、退室用認証装置が不要となり入退室管理システムの構成を簡単にすることが可能であるとしているが、オフィス等に設置されたコンピュータ装置に関する上記した問題については、これらの問題点に関する認識を欠いており、このため、十分な検討はなされていない。
【００１１】
そこで、本発明は、利用者の利便性を確保しつつ、電子機器の消費電力を削減することに貢献しうる電源制御システムを提供することを課題とする。
【課題を解決するための手段】
【００１２】
本発明の第１の視点による電源制御システムは、以下の構成要素を含む。即ち、該電源制御システムは、入館の認証に必要な情報を取得する入館認証装置と、退館の認証に必要な情報を取得する退館認証装置と、入室の認証に必要な情報を取得する入室認証装置と、退室の認証に必要な情報を取得する退室認証装置と、を含む。また、該電源制御システムは、入館及び退館が許可された利用者の情報と、入室及び退室が許可された利用者の情報とを、登録した利用者データベースを含み、前記入館認証装置、前記退館認証装置、前記入室認証装置、及び前記退室認証装置の各々で取得された前記情報をキーに前記利用者データベースを検索して認証を行い、前記認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を出力する入退館・入退室管理装置を含む。また、該電源制御システムは、前記利用者を識別する情報に対応して設けられた電子機器を含む。また、該電源制御システムは、利用者を識別する情報毎に対応する電子機器の情報を登録した電子機器データベースと、前記入退館・入退室管理装置が出力した利用者を識別する情報をキーに前記電子機器データベースを検索して当該利用者を識別する情報に対応した電子機器の情報を取得し、前記入退館・入退室管理装置が出力した前記入退館・入退室情報に応じて当該利用者を識別する情報に対応した電子機器の電源状態を制御する制御部と、を含む電源制御装置を備える。ここで、前記電源制御装置の制御部は、前記入退館・入退室情報が前記入室認証装置を示す場合に、第１の電源状態に前記電子機器の電源状態を移行し、前記入退館・入退室情報が前記退室認証装置を示す場合に、前記第１の電源状態よりも消費電力が少ない第２の電源状態に前記電子機器の電源状態を移行するように制御する。
【００１３】
本発明の第２の視点による電源制御装置は、入館の認証に必要な情報を取得する入館認証装置、退館の認証に必要な情報を取得する退館認証装置、入室の認証に必要な情報を取得する入室認証装置、及び退室の認証に必要な情報を取得する退室認証装置の各々で取得された前記情報に基づいて行われた認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を取得する。また、該電源制御装置は、利用者を識別する情報毎に対応する電子機器の情報を登録した電子機器データベースと、前記認証に成功した利用者に付与された利用者を識別する情報をキーに前記電子機器データベースを検索して当該利用者を識別する情報に対応した電子機器の情報を取得し、前記入退館・入退室情報に応じて当該利用者を識別する情報に対応した前記電子機器の電源状態を制御する制御部と、を備える。ここで、前記制御部は、前記入退館・入退室情報が前記入室認証装置を示す場合に、第１の電源状態に前記電子機器の電源状態を移行するように制御し、前記入退館・入退室情報が前記退室認証装置を示す場合に、前記第１の電源状態よりも消費電力が少ない第２の電源状態に前記電子機器の電源状態を移行するように制御する。
【００１４】
本発明の第３の視点による電源制御方法は、以下のステップを含む。即ち、該電源制御方法は、入館の認証を行う第１の認証ステップと、退館の認証を行う第２の認証ステップと、入室の認証を行う第３の認証ステップと、退室の認証を行う第４の認証ステップと、を含む。また、該電源制御方法は、前記第１乃至第４の認証ステップの各々において、認証に成功した利用者に付与されている利用者を識別する情報と、前記認証が入館、退館、入室、及び退室のいずれに対する認証であるかを示し、前記認証が入室又は退室に対する認証である場合には対応する部屋の情報を含む入退館・入退室情報とを出力するステップを含む。また、該電源制御方法は、利用者を識別する情報毎に対応する電子機器の情報を登録した電子機器データベースを、前記認証に成功した利用者に付与された利用者を識別する情報をキーに検索して、当該利用者を識別する情報に対応した電子機器の情報を取得するステップを含む。また、該電源制御方法は、前記入退館・入退室情報が入室に対する認証を示す場合に、第１の電源状態に前記電子機器の電源状態を移行するように制御する第１の制御ステップと、前記入退館・入退室情報が退室に対する認証を示す場合に、前記第１の電源状態よりも消費電力が少ない第２の電源状態に前記電子機器の電源状態を移行するように制御する第２の制御ステップと、を含む。
【００１５】
本発明の第４の視点によるプログラムは、以下の処理をコンピュータに実行させる。即ち、該プログラムは、入館の認証、退館の認証、入室の認証、及び退室の認証の各々において認証に成功した利用者に付与された利用者を識別する情報と、前記認証が入館、退館、入室、及び退室のいずれに対する認証であるかを示し、前記認証が入室又は退室に対する認証である場合には対応する部屋の情報を含む入退館・入退室情報と、を取得する処理をコンピュータに実行させる。また、該プログラムは、利用者を識別する情報毎に対応する電子機器を登録した電子機器データベースを、前記認証に成功した利用者に付与されている利用者を識別する情報をキーに検索して、当該利用者を識別する情報に対応した電子機器の情報を取得する処理をコンピュータに実行させる。また、該プログラムは、前記入退館・入退室情報が入室に対する認証を示す場合に、前記電子機器の電源状態を第１の電源状態に移行するように制御する処理をコンピュータに実行させる。また、該プログラムは、前記入退館・入退室情報が退室に対する認証を示す場合に、前記電子機器の電源状態を前記第１の電源状態よりも消費電力が少ない第２の電源状態に移行するように制御する処理をコンピュータに実行させる。なお、プログラムは非トランジェントな記憶媒体に記憶することができる。
【発明の効果】
【００１６】
本発明によれば、利用者の利便性を確保しつつ、電子機器の消費電力を削減することに貢献しうる電源制御システムを提供することが可能になる。
【図面の簡単な説明】
【００１７】
【図１】一実施形態に係る電源制御システムの構成を示すブロック図である。
【図２】他の一実施形態に係る電源制御システムの構成を示すブロック図である。
【図３】一実施形態に係る電源制御方法の動作を示すフローチャートである。
【図４】第１の実施形態に係る電源制御システムの構成を示すブロック図である。
【図５】第１の実施形態に係る利用者データベースの一例を示す図である。
【図６】第１の実施形態に係る入退館・入退室管理装置の構成を示すブロック図である。
【図７】第１の実施形態に係る認証ステータス管理データベースの一例を示す図である。
【図８】第１の実施形態に係る入室情報データベースの一例を示す図である。
【図９】第１の実施形態に係る設置エリア情報データベースの一例を示す図である。
【図１０】第１の実施形態に係る電源制御装置の構成を示すブロック図である。
【図１１】第１の実施形態に係るコンピュータ装置データベースの一例を示す図である。
【図１２】第１の実施形態に係るコンピュータ電源制御データベースの一例を示す図である。
【図１３】第１の実施形態に係るコンピュータ装置の構成を示すブロック図である。
【図１４】第１の実施形態に係る電源制御システムの動作を示すフローチャートである。
【図１５】第１の実施形態に係る電源制御システムの動作を示すフローチャートである。
【図１６】第１の実施形態に係る電源制御システムの動作を示すフローチャートである。
【発明を実施するための形態】
【００１８】
まず、本発明の一実施形態の概要について説明する。なお、一実施形態の概要の説明において付記した図面参照符号は専ら理解を助けるための例示であり、図示の態様に限定することを意図するものではない。
【００１９】
一実施形態における電源制御システムは、図１に示すように、以下の構成要素を含む。即ち、該電源制御システムは、入館の認証に必要な情報を取得する入館認証装置１３と、退館の認証に必要な情報を取得する退館認証装置１４と、入室の認証に必要な情報を取得する入室認証装置（１５ａ、１５ｂ）と、退室の認証に必要な情報を取得する退室認証装置（１６ａ、１６ｂ）とを含む。また、該電源制御システムは、入館及び退館が許可された利用者の情報と、入室及び退室が許可された利用者の情報とを、登録した利用者データベース３を含み、入館認証装置１３、退館認証装置１４、入室認証装置（１５ａ、１５ｂ）、及び退室認証装置（１６ａ、１６ｂ）のいずれかで取得された上記情報をキーに利用者データベース３を検索して認証を行い、該認証に成功した利用者に付与された利用者を識別する情報（例えば、利用者コードＣ１）と、該認証が入館認証装置１３、退館認証装置１４、入室認証装置（１５ａ、１５ｂ）、及び退室認証装置（１６ａ、１６ｂ）のうち、いずれの認証装置によるものであるかを示す入退館・入退室情報Ｃ２と、を出力する入退館・入退室管理装置２を含む。また、該電源制御システムは、利用者を識別する情報（例えば、利用者コード）に対応して設けられた電子機器（例えば、コンピュータ装置１８ａ〜ｆ）を含む。さらに、該電源制御システムは、利用者を識別する情報（例えば、利用者コード）毎に対応する電子機器１８ａ〜ｆの情報を登録した電子機器データベース６と、入退館・入退室管理装置２が出力した利用者を識別する情報（利用者コードＣ１）をキーに電子機器データベース６を検索して当該利用者を識別する情報（利用者コードＣ１）に対応した電子機器（１８ａ〜ｆのいずれか）の情報を取得し、入退館・入退室管理装置２が出力した入退館・入退室情報Ｃ２に応じて当該利用者を識別する情報（利用者コードＣ１）に対応した電子機器１８ａ〜ｆの電源状態を制御する制御部５と、を含む電源制御装置を含む。ここで、電源制御装置４の制御部５は、入退館・入退室情報Ｃ２が入室認証装置（１５ａ、１５ｂ）を示す場合に、第１の電源状態に電子機器（利用者コードＣ１に対応した電子機器）の電源状態を移行し、入退館・入退室情報Ｃ２が退室認証装置（１６ａ、１６ｂ）を示す場合に、第１の電源状態よりも消費電力が少ない第２の電源状態に電子機器（利用者コードＣ１に対応した電子機器）の電源状態を移行する。なお、図１では、電子機器としてコンピュータ装置の場合を例示しているがそれに限定されず、電源状態の移行により消費電力を制御することが可能な電子機器全般に適用することができる。
【００２０】
上記の電源制御システムにおいて、入退館・入退室情報Ｃ２が退館認証装置１４を示す場合に、第２の電源状態よりも消費電力が少なく、第１の電源状態で動作可能な状態に復帰するまでに要する時間が第２の電源状態よりも長い第３の電源状態に、電子機器（１８ａ〜ｆのうちで利用者コードＣ１に対応した電子機器）の電源状態を移行するように制御する。
【００２１】
上記一実施形態によれば、入退館・入退室管理装置２が入退館、及び入退室を監視し、電源制御装置４は入退館・入退室管理装置２が出力した利用者を識別する情報（利用者コードＣ１）、及び入退館・入退室情報Ｃ２を用いて認証に成功した利用者が使用する電子機器１８ａ〜ｆの電源状態を制御するようにしている。そして、利用者が退館した場合には長期間電子機器を使用しない可能性が高いため、第１〜第３の電源状態の中で最も消費電力が少ない第３の電源状態に移行させることで、消費電力を削減するようにしている。また、利用者が退室した場合には、また入室して電子機器を使用する可能性があるため、第３の電源状態よりは電力消費があるが、復帰時間の短い第２の電源状態に遷移させている。上記のような利用者の状況に応じた電源制御を行うことで、利用者の利便性を確保しつつ、電子機器の消費電力を削減することに貢献しうる電源制御システムを提供することが可能になる。
【００２２】
上記電源制御システムにおいて、電源制御装置の制御部（図１の５）は、電子機器（図１において、１８ａ〜ｆのうちで利用者コードＣ１に対応した電子機器）を第２の電源状態から第３の電源状態に移行させるときに、該電子機器を第１の電源状態に移行させた後に、第３の電源状態に移行させるようにしてもよい。
【００２３】
上記電源制御システムにおいて、第１の電源状態は稼働状態であり、第２の電源状態はスリープ状態であり、第３の電源状態は電源オフ状態であってもよい。
【００２４】
上記電源制御システムにおいて、電源制御装置の制御部（図１の５）による電源状態の制御は、ＷＯＬ（Ｗａｋｅ  Ｏｎ  ＬＡＮ）により行われるようにしてもよい。
【００２５】
他の一実施形態における電源制御システムは、図２に示すように、入退館・入退室管理装置２が、部屋（１２ａ、１２ｂ）への入室及び部屋（１２ａ、１２ｂ）からの退室に対する認証に基づいて、部屋（１２ａ、１２ｂ）内の人数を監視し、入退館・入退室管理装置２により監視された部屋内（１２ａ、１２ｂ）の人数が０になったことを受けて、部屋に設置されている環境設備（照明装置（２１ａ、２１ｂ）、空調装置（２２ａ、２２ｂ）等）をオフするように制御する。
【００２６】
さらに他の一実施形態における電源制御システムは、図４に示すように、入退館・入退室管理装置２が、部屋１２ｂ内の複数のエリア（２５ｂ、２５ｃ）の各々に対して設置された環境設備（照明装置（２３ｂ、２３ｃ）、空調装置（２４ａ、２４ｂ）等）を個別にオン・オフ制御するように構成される。また、電子機器データベース６は、利用者を識別する情報（利用者コードＣ１）に対応した電子機器（１８ａ〜ｆ）が設置されているエリア（２５ｂ、２５ｃ）の情報をさらに含み、電源制御装置４の制御部５は、複数のエリア（２５ｂ、２５ｃ）の各々に対して、第１の電源状態にある電子機器の数を監視し、入退館・入退室管理装置２は、電源制御装置４の制御部５より、複数のエリア（２５ｂ、２５ｃ）のうち、第１の電源状態にあるコンピュータ装置の数が０になったエリア（２５ｂ、２５ｃのいずれか）の情報を受けて、当該エリアに対応した環境設備（照明装置（２３ｂ、２３ｃ）、空調装置（２４ａ、２４ｂ）等）をオフするように制御する。なお、図４は、部屋１２ａの照明装置２３ａが、部屋１２ａ全体でオン・オフ制御され、部屋１２ｂではエリア２５ｂ、２５ｃ毎に、照明装置（２３ｂ、２３ｃ）が個別にオン・オフ制御される場合を示している。
【００２７】
一実施形態における電源制御方法は、以下のステップを含む。即ち、該電源制御方法は、入館の認証を行う第１の認証ステップ（図３のＳ１）と、退館の認証を行う第２の認証ステップ（図３のＳ１２）と、入室の認証を行う第３の認証ステップ（図３のＳ４）と、退室の認証を行う第４の認証ステップ（図３のＳ８）とを含む。また、該電源制御方法は、第１乃至第４の認証ステップ（図３のＳ１、Ｓ１２、Ｓ４、Ｓ８）のいずれかにおいて、認証に成功した利用者に付与されている利用者を識別する情報（利用者コード（図１のＣ１））と、認証が入館、退館、入室、及び退室のいずれに対する認証であるかを示し、認証が入室又は退室に対する認証である場合には対応する部屋の情報を含む入退館・入退室情報（図１のＣ２）とを出力するステップ（図３のＳ３、Ｓ１３、Ｓ５、Ｓ９）を含む。また、該電源制御方法は、利用者を識別する情報（利用者コード）毎に対応する電子機器の情報を登録した電子機器データベース（図１の６）を、認証に成功した利用者に付与された利用者を識別する情報（利用者コード（図１のＣ１））をキーに検索して、当該利用者を識別する情報（利用者コード（図１のＣ１））に対応した電子機器（図１の１８ａ〜ｆのいずれか）の情報を取得するステップ（図３のＳ６、Ｓ１４、Ｓ１０）を含む。さらに、該電源制御方法は、入退館・入退室情報（図１のＣ２）が入室に対する認証を示す場合に、第１の電源状態に電子機器（利用者コード（図１のＣ１）に対応した電子機器）の電源状態を移行するように制御する第１の制御ステップ（図３のＳ７）と、入退館・入退室情報が退室に対する認証を示す場合に、第１の電源状態よりも消費電力が少ない第２の電源状態に電子機器（利用者コード（図１のＣ１）に対応した電子機器）の電源状態を移行するように制御する第２の制御ステップ（図３のＳ１１）を含む。なお、図３に示すフローチャートは、利用者が入館、入室、退室、退館を順次行う場合の動作、及び、入館、入室、退室を順次行った後、再度入室する（図３のＳ１１を実行した後、Ｓ４に戻る）場合の動作について示している。
【００２８】
以下に具体的な実施の形態について、図面を参照して説明する。
【００２９】
［第１の実施形態］
（第１の実施形態の構成）
第１の実施形態の構成について、図４を参照しながら説明する。図４は、第１の実施形態に係る電源制御システム１の構成を示すブロック図である。図４において、電源制御システム１は、入館認証装置１３、退館認証装置１４、入室認証装置（１５ａ、１５ｂ）、退室認証装置（１６ａ、１６ｂ）、入退館・入退室管理装置２、電源制御装置４、及びコンピュータ装置１８ａ〜ｆを含んで構成され、上記した構成要素は、不図示のネットワークを介して、接続されている。
【００３０】
図４に示すように、建物１１（例えば、オフィスビル等）の内部に、複数の部屋（１２ａ、１２ｂ）があり、社員（利用者）が、自身が属する部屋（１２ａ、１２ｂ）に設置されたコンピュータ装置１８ａ〜ｆを使用して業務を行う場合を想定している。部屋１２ａ（部屋番号１２Ａ）には、３名の社員がそれぞれ使用する３台のコンピュータ装置１８ａ〜ｃが設置されている。また、部屋１２ｂ（部屋番号１２Ｂ）には、３名の社員が使用する３台のコンピュータ装置１８ｄ〜ｆが設置されている。なお、オフィスでコンピュータ装置１８ａ〜ｆを使用して業務を行うのは、社員に限定されず、入退館・入退室管理装置２（詳細は後述）による認証で許可される社員以外の利用者も含まれる。
【００３１】
また、各コンピュータ装置１８ａ〜ｆは、ＬＡＮを介して送信されるＷＯＬ（Ｗａｋｅｕｐ  Ｏｎ  ＬＡＮ）のコマンドに対応できるように、ＷＯＬに関する機能を設定しておく。
【００３２】
また、部屋１２ａには、照明装置２３ａ、及び空調装置２４ａが設けられている。一方、部屋１２ｂは、部屋１２ｂを分割した複数のエリア（２５ｂ、２５ｃ）に対して、それぞれ別の照明装置及び空調装置が設けられている。具体的には、エリア２５ｂには、照明装置２３ｂ、及び空調装置２４ｂが設けられている。また、エリア２５ｃには、照明装置２３ｃ、及び空調装置２４ｃが設けられている。なお、図４において、空調装置のエリアの分割と、照明装置のエリアの分割は同じとしているが、それぞれ別のエリア分割を行うようにしてもよい。なお、図４では、建物１１内の部屋の数を２、入室認証装置の数を２、退室認証装置の数を２、各部屋に設けられたコンピュータ装置の数を３、各部屋のエリアの数を部屋１２ａは１（分割なし）、部屋１２ｂは２としているが、図４はあくまで例示であり、これらに限定されるものでなく、他の数としてもよいことは勿論である。
【００３３】
図４において、入館認証装置１３は、建物１１に入館するための認証に必要な情報を読み取るための装置である。入館認証装置１３は、例えば、建物１１の玄関等（建物１１の外部）に設置される。入館認証装置１３は、例えば、非接触通信が可能なセンサを有し、該センサにより、ＩＣカードに記録された情報を読み取ることができる。各社員（利用者）は、社員証ＩＤが記録されたＩＣカードを携帯し、入館時に該ＩＣカードを入館認証装置１３にかざすと、ＩＣカードから社員証ＩＤ等の情報が読み出され、該情報が入退館・入退室管理装置２に送られる。
【００３４】
図４において、退館認証装置１４は、建物１１から退館するための認証に必要な情報を読み取るための装置である。入館認証装置１４は、例えば、建物１１の玄関等（建物１１の内部）に設置される。退館認証装置１４は、入館認証装置１３と同様に非接触通信が可能なセンサを有し、該センサにより、ＩＣカードに記録された情報を読み取ることができる。各社員（利用者）は、退館時に該ＩＣカードを退館認証装置１４にかざすと、該ＩＣカードから社員証ＩＤ等の情報が読み出され、該情報が入退館・入退室管理装置２に送られる。
【００３５】
図４において、入室認証装置１５ａは、部屋１２ａに入室するための認証に必要な情報を読み取るための装置である。入室認証装置１５ａは、例えば、部屋１２ａのドア付近等（部屋１２ａの外部）に設置される。入室認証装置１５ａは、非接触通信が可能なセンサを有し、該センサにより、ＩＣカードに記録された情報を読み取ることができる。各社員（利用者）は、部屋１２ａへの入室時に該ＩＣカードを入室認証装置１５ａにかざすと、該ＩＣカードから社員証ＩＤ等の情報が読み出され、該情報が入退館・入退室管理装置２に送られる。
【００３６】
図４において、退室認証装置１６ａは、部屋１２ａから退室するための認証に必要な情報を読み取るための装置である。退室認証装置１６ａは、例えば、部屋１２ａのドア付近等（部屋１２ａの内部）に設置される。入室認証装置１６ａは、非接触通信が可能なセンサを有し、該センサにより、ＩＣカードに記録された情報を読み取ることができる。各社員（利用者）は、部屋１２ａからの退室時に該ＩＣカードを入室認証装置１６ａにかざすと、ＩＣカードから社員証ＩＤ等の情報が読み出され、該情報が入退館・入退室管理装置２に送られる。
【００３７】
図４において、入室認証装置１５ｂ、退室認証装置１６ｂは、それぞれ、部屋１２ｂに入室するための認証に必要な情報、部屋１２ｂから退室するための認証に必要な情報を読み取るための装置であり、それぞれ入室認証装置１５ａ、退室認証装置１６ａと同様の構成を有している。
【００３８】
図４において、入退館・入退室管理装置２は、建物１１に対する入館及び退館と、部屋（１２ａ、１２ｂ）に対する入室及び退室とが許可された利用者を登録した利用者データベース３を備えている。図５は、利用者データベース３の一例を示す図である。図５に示すように、利用者データベース３には、各社員（利用者）が所持するＩＣカードに記録されている社員証ＩＤと社員コード（利用者コード）とが対応付けて記録されている。なお、図５の利用者データベース３は、入退館と入退室とで同じ利用者を許可しているが、入退室に関しては、部屋ごとに許可する利用者を設定をするようにしてもよい。
【００３９】
図４に戻り、説明を続ける。入退館・入退室管理装置２は、入館認証装置１３、退館認証装置１４、入室認証装置（１５ａ、１５ｂ）、退室認証装置（１６ａ、１６ｂ）の各々から入力された認証に必要な情報（例えば、社員証ＩＤ等）に基づいて、利用者データベース３を検索する。そして、該情報（例えば、社員証ＩＤ等）が、利用者データベース３の中に登録されている場合には、該認証が成功する。
【００４０】
入退館・入退室管理装置２は、利用者データベース３の中に社員証ＩＤに対応する社員コード（利用者コード）を検索した場合（認証が成功した場合）、社員証ＩＤに対応した社員コード（利用者コード）Ｃ１を出力する。また、入退館・入退室管理装置２は、認証が成功した場合、該認証が、入館認証装置１３、退館認証装置１４、入室認証装置（１５ａ、１５ｂ）、及び退室認証装置（１６ａ、１６ｂ）のうち、いずれの認証装置によるものであるかを示す入退館・入退室情報Ｃ２を出力する（該認証は後述する図６の認証部１０７で行われる）。具体的には、該認証が入館の場合、入退館・入退室情報Ｃ２は「入館」となる。また、該認証が退館の場合、入退館・入退室情報Ｃ２は「退館」となる（「入館」、「退館」の場合は、認証装置の情報は一意的に決まるため、省略することができる）。また、該認証が入室認証装置１５ａによる場合、入退館・入退室情報Ｃ２は「入室、入室認証装置１５ａ」となる。また、該認証が入室認証装置１５ｂによる場合、入退館・入退室情報Ｃ２は「入室、入室認証装置１５ｂ」となる。また、該認証が退室認証装置１６ａによる場合、入退館・入退室情報Ｃ２は「退室、退室認証装置１６ａ」となる。また、該認証が退室認証装置１６ｂによる場合、入退館・入退室情報Ｃ２は「退室、退室認証装置１６ｂ」となる。なお、入室認証装置（１５ａ、１５ｂ）、退室認証装置（１６ａ、１６ｂ）は、部屋（１２ａ、１２ｂ）と対応しているため、入退館・入退室情報Ｃ２が入室又は退室を示している場合、入退館・入退室情報Ｃ２を部屋（１２ａ、１２ｂ）の情報で表すこともできる。なお、図４の電源制御装置４の詳細は後述される。
【００４１】
次に、図６は、図４で示した入退館・入退室管理装置２のより詳細な構成を示すブロック図である。図６に示すように、入退館・入退室管理装置２は、基本機能部１０１、入退館認証制御部１０２、入退室認証制御部１０４、コンピュータ電源制御連携部１０６、及び認証部１０７を含む。また、入退館・入退室管理装置２は、利用者データベース３、認証ステータス管理データベース１０９、入室情報データベース１１０、及び設置エリア情報データベース１１１を備えている。
【００４２】
図６において、基本機能部１０１は、認証に成功した場合に、社員コード（利用者コード）Ｃ１、入退館・入退室情報Ｃ２に基づいて、認証ステータス管理データベース１０９内の入退館情報、入退室情報、及び入退館／入退室ステータスを更新する機能を有する。図７には、認証ステータス管理データベース１０９の一例が示されている。図７において、認証ステータス管理データベース１０９は、社員コード（利用者コード）毎に、入退館情報、入退室情報を記録したものである。入退館情報、入退室情報には、入退館、入退室が行われたこと、及びその時刻が記録される。また、入退館／入退室ステータスは、現時点の社員コード（利用者コード）のステータスを表している。図７において、例えば、社員コード（利用者コード）「００００００００」の社員（利用者）は、入館し、入室認識装置１５ａで入室（即ち、部屋１２ａに入室）したことが示されている。このように、認証ステータス管理データベース１０９を参照することにより、各社員コード（利用者コード）の社員（利用者）の現在のステータスを取得することができる。
【００４３】
図６に戻り、説明を続ける。基本機能部１０１は、入退館／入退室ステータスを「入室」にした場合、入室情報データベース１１０の入室数をカウントアップする。また、基本機能部１０１は、入退館／入退室ステータスを「退室」にした場合、入室情報データベース１１０の入室数をカウントダウンする。図８には、入室情報データベース１１０の一例が示されている。図８において、入室情報データベース１１０は、部屋番号毎に、入室数を記録している。
【００４４】
図６に戻り、説明を続ける。基本機能部１０１は、コンピュータ電源制御連携部１０６（詳細は後述）から指示を受けると、設置エリア情報データベース１１１の動作中のＰＣの数をカウントアップ又はカウントダウンする。図９には、設置エリア情報データベース１１１の一例が示されている。図９において、設置エリア情報データベース１１１は、エリア毎（図４で示した２５ａ、２５ｂ、２５ｃ；図４の部屋１２ａは複数のエリアに分割されておらず、エリア２５ａは部屋１２ａを示している）に、動作中（稼動状態）のコンピュータ装置の数が記録している。
【００４５】
図６に戻り、説明を続ける。基本機能部１０１は、入室情報データベース１１０の該当する部屋番号（入退室ステータスを更新した部屋番号）の入室数が０か否かを確認し、該当する部屋番号の入室数が０であった場合、該当する部屋番号の照明装置（図４の２３ａ〜ｃ）及び空調装置（図４の２４ａ〜ｃ）をオフする。また、基本機能部１０１は、設置エリア情報データベース１１１の該当するエリア（入退室ステータスを更新した部屋に含まれるエリア）の動作中（稼動状態）のコンピュータ装置の数が０であった場合、動作中（稼動状態）のコンピュータ装置の数が０のエリアに設置されている照明装置（図４の２３ａ〜ｃ）及び空調装置（図４の２４ａ〜ｃ）をオフする。
【００４６】
次に、図６において、入退館認証制御部１０２は、図４で示した入館認証装置１３及び退館認証装置１４と接続された第１の制御基板（不図示）を含んで構成される。入退館認証制御部１０２は、入館に対する認証が成功した場合、第１の制御基板（不図示）を介して入館を許可する信号を入館認証装置１３に送信する。入館認証装置１３は該信号を受けると、建物１１の玄関を一定時間解錠する。また、入退館認証制御部１０２は、退館に対する認証が成功した場合、第１の制御基板（不図示）を介して退館を許可する信号を退館認証装置１４に送信する。退館認証装置１４は該信号を受けると、建物１１の玄関を一定時間解錠する。
【００４７】
次に、図６において、入退室認証制御部１０４は、図４で示した入室認証装置（１５ａ、１５ｂ）及び退室認証装置（１６ａ、１６ｂ）と接続された第２の制御基板（不図示）を含んで構成される。入退室認証制御部１０４は、入室に対する認証が成功した場合、第２の制御基板（不図示）を介して入室を許可する信号を対応する入室認証装置（１５ａ、１５ｂのいずれか）に送信する。入室認証装置（１５ａ、１５ｂのいずれか）は該信号を受けると、対応する部屋（１２ａ、１２ｂのいずれか）のドアを一定時間解錠する。また、入退室認証制御部１０４は、退室に対する認証が成功した場合、第２の制御基板（不図示）を介して退室を許可する信号を対応する退室認証装置（１６ａ、１６ｂのいずれか）に送信する。該退室認証装置（１６ａ、１６ｂのいずれか）は該信号を受けると、対応する部屋（１２ａ、１２ｂのいずれか）のドアを一定時間解錠する。
【００４８】
次に、図６において、コンピュータ電源制御連携部１０６は、電源制御装置４と通信を行うためのネットワークアダプタ（不図示）を含んで構成される。コンピュータ電源制御連携部１０６は、認証が成功した場合に、電源制御装置４の制御部５の入退館・入退室管理連携部２０２に、該ネットワークアダプタ及びネットワークを介して、図４で示した社員コード（利用者コード）Ｃ１、及び入退館・入退室情報Ｃ２を送信する。
【００４９】
次に、図６において、認証部１０７は、入館認証装置１３、退館認証装置１４、入室認証装置（１５ａ、１５ｂ）、退室認証装置（１６ａ、１６ｂ）の各々から入力された認証に必要な情報（例えば、社員証ＩＤ等）に基づいて、利用者データベース３を検索する機能を有するプログラムである。
【００５０】
次に、図１０は、図４で示した電源制御装置４のより詳細な構成を示すブロック図である。図１０に示すように、電源制御装置４は、基本機能部２０１、入退館・入退室管理連携部２０２、及びコンピュータ電源制御部２０３を含む制御部５を備えている。また、電源制御装置４は、コンピュータ装置データベース６、及びコンピュータ電源制御データベース２０５を備えている。
【００５１】
図１０において、電源制御装置４の制御部５は、図４、図６で示した入退館・入退室管理装置２が出力する社員コード（利用者コード）Ｃ１、及び入退館・入退室情報Ｃ２に基づいて、コンピュータ装置（図４の１８ａ〜ｆ）の電源状態を制御する機能を有する。
【００５２】
コンピュータ装置（図４の１８ａ〜ｆ）の電源状態は、以下の３通りのいずれかに制御される。１つ目は稼動状態である。稼動状態とは、ＯＳ（Operating System）が起動された状態で、利用者がコンピュータ装置（図４の１８ａ〜ｆ）を使用可能な状態である。２つ目はスリープ状態である。スリープ状態とは、作業状態をメモリに保存し、一時的に動作を停止して消費電力を削減する電源状態である。３つ目は電源オフ状態である。電源オフ状態（「電源ｏｆｆ状態」ともいう）は、コンピュータ装置をシャットダウンした状態である。
【００５３】
上記した３つの電源状態の消費電力を比較すると、消費電力は、大きい順に稼動状態、スリープ状態、電源オフ状態となる。スリープ状態が電源オフ状態よりも電力を消費するのは、メモリ上のデータを保持する必要性から、メモリに対するリフレッシュ等による電力が消費されるためである。
【００５４】
また、スリープ状態から稼働状態へ移行する場合と、電源オフ状態から稼働状態へ移行する場合を比較すると、スリープ状態から稼働状態へ移行するほうが、早く動作可能な状態に復帰し、利用者が早く使用可能になる。
【００５５】
次に、図１０に示されたコンピュータ装置データベース６について、図１１を参照しながら、説明する。図１１には、コンピュータ装置データベース６の一例が示されている。図１１には、社員コード（利用者コード）と、社員コード（利用者コード）毎のコンピュータ装置の情報が格納されている。図１１において、社員コード（利用者コード）「００００００００」、「０００００００２」、「０００００００３」、「０００００００５」、「００００００１２」、「００００００１３」に対応するコンピュータ装置は、それぞれ、図４に示したＰＣ１８ａ、ＰＣ１８ｄ、ＰＣ１８ｂ、ＰＣ１８ｃ、ＰＣ１８ｅ、ＰＣ１８ｆである。
【００５６】
図１１において、各社員コード（利用者コード）に対応するコンピュータ装置のＩＰアドレス、及びＭＡＣアドレスが格納されている。また、各社員コード（利用者コード）に対応するコンピュータ装置のＰＣ設置場所情報が格納されている。該ＰＣ設置場所情報は、該当するコンピュータ装置の設置された部屋に対応した入室認証装置（１５ａ、１５ｂのいずれか）と、退室認証装置（１６ａ、１６ｂのいずれか）、及び設置された部屋（１２ａ、１２ｂのいずれか）に関する情報が格納されている。例えば、同図中の「１５ａ、１６ａ（１２ａ）」は、該当するコンピュータ装置が、入室認証装置１５ａ、退室認証装置１６ａが設けられた部屋１２ａに設置されていることを示している。また、図１１において、該当するコンピュータ装置の設置されたエリア（２５ａ〜ｃのいずれか）が、格納されている（図４を参照）。
【００５７】
図１１において、各コンピュータ装置（図４のＰＣ１８ａ〜ｆ）の電源状態を示すステータスが格納されている。該ステータスは、電源状態の移行に応じて更新される。なお、該ステータスの詳細は後述される。
【００５８】
次に、図１０で示したコンピュータ電源制御データベース２０５について、図１２を参照しながら説明する。図１２には、コンピュータ電源制御データベース２０５が示されている。図１２において、コンピュータ電源制御データベース２０５は、電源制御装置（図４の４）が入力した入退館・入退室情報（図４のＣ２）が入館、入室、退室、及び退館のうち、いずれであるかに応じて、それぞれ、コンピュータ装置（図４の１８ａ〜ｆ）の電源状態をどの状態に制御するかについての情報を格納している。
【００５９】
図１２において、入館時には、コンピュータ装置（図４の１８ａ〜ｆ）の電源状態の制御は行われない。次に、入室時で、コンピュータ装置（図４の１８ａ〜ｆ）の現在のステータスが電源オフ状態（電源ｏｆｆ状態）の場合には、該コンピュータ装置に対して行われる状態遷移動作は「電源ｏｎ」である。該コンピュータ装置は「電源ｏｎ」の状態遷移動作を指示されると、該コンピュータ装置を電源ｏｎし、電源状態が稼動状態に移行される。
【００６０】
なお、状態遷移動作を指示するためのコマンドには、ＷＯＬ（Ｗａｋｅ  Ｏｎ  ＬＡＮ）によるマジックパケットが使用される。
【００６１】
また、入室時で、コンピュータ装置（図４の１８ａ〜ｆ）の現在のステータスがスリープ状態の場合には、該コンピュータ装置に対して行われる状態遷移動作は「レジューム」である。該コンピュータ装置は「レジューム」の状態遷移動作を指示されると、該コンピュータ装置をレジュームし、の電源状態が稼動状態に移行される。
【００６２】
また、退室時に、該コンピュータ装置に対して行われる状態遷移動作は、「スリープ」である。該コンピュータ装置は「スリープ」の状態遷移動作を指示されると、該コンピュータ装置をスリープに遷移させ、電源状態がスリープ状態に移行される。
【００６３】
また、退館時で、コンピュータ装置（図４の１８ａ〜ｆ）の現在のステータスが電源オフ状態（電源ｏｆｆ状態）の場合には、コンピュータ装置（図４の１８ａ〜ｆ）の電源状態の制御は行われない。また、退館時で、コンピュータ装置（図４の１８ａ〜ｆ）の現在のステータスがスリープ状態の場合には、該コンピュータ装置に対して行われる状態遷移動作は「レジューム」→「電源ｏｆｆ」である（「レジューム」の状態遷移動作を行った後に、続けて「電源ｏｆｆ」の状態遷移動作を行う）。該コンピュータ装置は「レジューム」の状態遷移動作を行い、一旦稼動状態に移行した後、「電源ｏｆｆ」の状態遷移動作を行い、電源オフ状態に移行する。上記したように、スリープ状態から電源オフ状態に移行させる場合において、一旦電源オン状態にするのは、直接、スリープ状態から電源オフ状態に移行させることができないためである。
【００６４】
次に、図１０に戻り、電源制御装置４の説明を続ける。図１０おいて、基本機能部２０１は、入退館・入退室管理装置２から送られた社員コード（利用者コード）（図４のＣ１）をキーに、コンピュータ装置データベース６を検索して、該当するコンピュータ装置のＰＣ設置場所情報（図１１を参照）を取得する。そして、基本機能部２０１は、該ＰＣ設置場所が、入退館・入退室情報（図４のＣ２）に対応する部屋と一致しているか否かを判定する。該判定が一致している場合、社員（利用者）は、自身が使用するコンピュータ装置がある部屋に入室したと判定される。一方、該判定が一致していない場合は、社員（利用者）は、自身が使用するコンピュータ装置がある部屋以外の部屋に入室したと判定される。
【００６５】
基本機能部２０１は、社員コード（利用者コード）Ｃ１に対応するコンピュータ装置が、入退館・入退室情報Ｃ２に対応する部屋に存在すると判定した場合、社員コード（利用者コード）Ｃ１をキーにコンピュータ装置データベース（図１１の６）を検索して、現在のステータスを取得すると同時に、ＩＰアドレス及びＭＡＣアドレスを取得する（図１１を参照）。また、コンピュータ電源制御データベース（図１２の２０５）を参照して、社員コード（利用者コード）Ｃ１に対応するコンピュータ装置の電源状態を移行させるための状態遷移動作の情報を取得する。そして、基本機能部２０１は、コンピュータ電源制御部２０３に対して、上記の状態遷移動作に対応したＷＯＬのマジックパケットを送信する指示を出す。基本機能部２０１は、コンピュータ装置データベース（図１１の６）のステータスを、該コンピュータ装置の移行先の電源状態（稼動状態、スリープ状態、電源オフ状態のいずれか）に、更新する。
【００６６】
一方、基本機能部２０１は、社員コード（利用者コード）Ｃ１に対応するコンピュータ装置が、入退館・入退室情報Ｃ２に対応する部屋に存在しないと判定した場合は、上記した動作（現在のステータス、ＩＰアドレス及びＭＡＣアドレスを取得する動作、状態遷移動作の情報を取得する動作、コンピュータ装置データベースのステータスの更新等）を行わない。
【００６７】
図１０において、入退館・入退室管理連携部２０２は、入退館・入退室管理装置２と通信を行うための不図示のネットワークアダプタを含んで構成される。入退館・入退室管理連携部２０２は、コンピュータ電源制御連携部（図６の１０６）から送信された社員コード（利用者コード）（図４のＣ１）、及び入退館・入退室情報（図４のＣ２）を受信すると、基本機能部２０１に社員コード（利用者コード）Ｃ１、及び入退館・入退室情報Ｃ２を伝達する。
【００６８】
入退館・入退室管理連携部２０２は、コンピュータ装置データベース６内のステータスが動作中（稼動状態）に更新された場合、コンピュータ電源制御連携部１０６に対して、設置エリア情報データベース（図９の１１１）の動作中（稼動状態）のＰＣの数をカウントアップする指示を出す。
【００６９】
また、入退館・入退室管理連携部２０２は、コンピュータ装置データベース６内のステータスがスリープ状態に更新された場合、コンピュータ電源制御連携部１０６に対して、設置エリア情報データベース（図９の１１１）の動作中（稼動状態）のＰＣの数をカウントダウンする指示を出す。
【００７０】
図１０において、コンピュータ電源制御部２０３は、ネットワークと接続されているコンピュータ装置１８ａ〜ｆの電源制御を行うネットワークボード（不図示）を含んで構成される。コンピュータ電源制御部２０３は、基本機能部２０１から状態遷移動作に対応するＷＯＬのマジックパケットを送信する指示を受けると、該マジックパケットを該当するコンピュータ装置（図４の１８ａ〜ｆのいずれか）に送信する。
【００７１】
次に、図１３を参照しながら、図４で示したコンピュータ装置１８ａ〜ｆの構成について説明する。図１３は、コンピュータ装置１８ａのうち、電源制御に関連する箇所の構成を示すブロック図である（なお、コンピュータ装置１８ｂ〜ｆの構成は、コンピュータ装置１８ａと同様である）。図１３において、コンピュータ装置１８ａは、コンピュータ電源制御受信部３０２、及びコンピュータ電源制御部３０３を備えている。
【００７２】
図１３において、コンピュータ電源制御受信部３０２は、ネットワークと接続されているネットワークアダプタ（不図示）を含んで構成される。コンピュータ電源制御受信部３０２は、コンピュータ電源制御部２０３から、ネットワーク及び該ネットワークアダプタを介して送信された状態遷移動作に対応したＷＯＬのマジックパケットを受信する。
【００７３】
図１３において、コンピュータ電源制御部３０３は、コンピュータ電源制御受信部３０２が受信したＷＯＬのマジックパケットに基づいて、電源ｏｎ、スリープ、レジューム、及び電源ｏｆｆのいずれかの状態遷移動作を実行する。
【００７４】
（第１の実施形態の動作）
次に、図１４〜図１６を参照しながら、第１の実施形態に係る電源制御システム１の動作について説明する。図１４〜図１６は、電源制御システム１の動作を示すフローチャートである。図１４は、社員（利用者）が、建物１１に入館した後、部屋（図４の１２ａ、１２ｂ）に入室した場合のコンピュータ装置（図４の１８ａ〜ｆ）に対して行われる電源制御に関する動作を示している。
【００７５】
図１４において、入館認証装置（図４の１３）は、社員証ＩＤが記録されたＩＣカードを読み取り、読み取った社員証ＩＤを入退館・入退室管理装置２の入退館認証制御部（図６の１０２）に出力する（Ａ１）。次に、入退館・入退室管理装置２の認証部１０７は、利用者データベース３にアクセスし、読み取られた社員証ＩＤが利用者データベース３内に登録されているか否かを検索する。利用者データベース３に登録されていた場合は、認証は成功し、入館が許可される（Ａ２でＹｅｓ）。一方、利用者データベース（図５の３）に登録されていない場合（Ａ２でＮｏの場合）には、入館は許可されない。ステップＡ２でＹｅｓの場合、入退館・入退室管理装置（図４の２）は、読み取られた社員証ＩＤに対応する社員コード（利用者コード）Ｃ１、及び入退館・入退室情報Ｃ２（入退館・入退室情報Ｃ２は「入館」）を出力する。次に、ステップＡ２でＹｅｓの場合、認証ステータス管理データベース（図７の１０９）の入退館情報、入退館／入退室ステータスをそれぞれ「入館」に更新する（Ａ３）。
【００７６】
次に、入室認証装置（図４の１５ａ、１５ｂ）は、社員証ＩＤが記録されたＩＣカードを読み取る（Ａ４でＹｅｓ）。入退館・入退室管理装置（図４の２）は、利用者データベース３を用いて、読み取られた社員証ＩＤに対応する社員コード（利用者コード）Ｃ１、及び入退館・入退室情報Ｃ２（入退館・入退室情報Ｃ２は「入室」、入室した部屋の入室認証装置（１５ａ、１５ｂのいずれか）の情報）を出力する。入退館・入退室管理装置の基本機能部（図６の１０１）は、入退館・入退室情報Ｃ２に基づいて認証がどの部屋（１２ａ、１２ｂ）に対する入室であるかという情報を取得する（Ａ５）。
【００７７】
次に、入退館・入退室管理装置２は、認証ステータス管理データベース（図７の１０９）内の入退室情報と入退館／入退室ステータスを「入室」に更新し、入室情報データベース（図８の１１０）の入室数をカウントアップする（Ａ６）。入退館・入退室管理装置（図４の２）は、コンピュータ電源制御連携部（図６の１０６）を使用して、電源制御装置（図４の４）に、社員コード（利用者コード）Ｃ１、及び入退館・入退室情報Ｃ２を送信する（Ａ７）。
【００７８】
次に、電源制御装置４の基本機能部（図１０の２０１）は、入退館・入退室管理装置２のコンピュータ電源制御連携部（図６の１０６）から送られてきた社員コード（利用者コード）Ｃ１を基に、コンピュータ装置データベース（図１１の６）内の社員コード（利用者コード）Ｃ１に対応するＰＣ設置場所情報を取得する。また、電源制御装置４の基本機能部（図１０の２０１）は、入退館・入退室管理装置２のコンピュータ電源制御連携部（図６の１０６）から送られてきた入退館・入退室情報Ｃ２が示す入室時の部屋（１２ａ、１２ｂ）の情報を取得する。そして、基本機能部（図１０の２０１）は、ＰＣ設置場所情報と入退館・入退室情報Ｃ２が示す入室時の部屋（図４の１２ａ、１２ｂ）の情報の一致・不一致により、入室した社員（利用者）のコンピュータ装置（図４の１８ａ〜ｆのいずれか）が入室した部屋に存在するか否かを判定する（Ａ８）。
【００７９】
入室した社員（利用者）のコンピュータ装置（１８ａ〜ｆのいずれか）が入室した部屋に存在すると判定された場合（Ａ８でＹｅｓの場合）、コンピュータ装置データベース（図１１の６）内のステータスを取得する。
【００８０】
現在のステータスが電源オフ状態の場合（Ａ９で現ステータス：電源ｏｆｆの場合）、基本機能部（図１０の２０１）は、コンピュータ電源制御データベース（図１２の２０５）を参照して、どの状態遷移動作をさせるかの情報を取得する（入室時、電源オフ状態に対する状態遷移動作は、「電源ｏｎ」である）。また、基本機能部（図１０の２０１）は、コンピュータ装置データベース（図１１の６）を検索して社員コード（利用者コード）Ｃ１に対応するＩＰアドレス、ＭＡＣアドレス、及びステータスを取得する。また、基本機能部（図１０の２０１）は、コンピュータ電源制御部２０３を使用して、「電源ｏｎ」の状態遷移動作を行うためのマジックパケットを該当するコンピュータ装置（社員コード（利用者コード）Ｃ１に対応するコンピュータ装置）に送信する（Ａ１０）。該コンピュータ装置のコンピュータ電源制御受信部（図１３の３０２）は、ステップＡ１０で送信されたマジックパケットを受信し、コンピュータ電源制御部３０３を使用して該コンピュータ装置に対して「電源ｏｎ」の状態遷移動作を行う。これにより、該コンピュータ装置の電源状態は稼働状態に移行する（Ａ１１）。
【００８１】
一方、ステップＡ９で現在のステータスがスリープ状態の場合、基本機能部（図１０の２０１）は、コンピュータ電源制御データベース（図１２の２０５）を参照して、どの状態遷移動作をさせるかの情報を取得する（入室時、スリープ状態に対する状態遷移動作は、「レジューム」である）。また、基本機能部（図１０の２０１）は、コンピュータ装置データベース（図１１の６）を検索して社員コード（利用者コード）Ｃ１に対応するＩＰアドレス、ＭＡＣアドレス、及びステータスを取得する。また、基本機能部（図１０の２０１）は、コンピュータ電源制御部（図１０の２０３）を使用して、「レジューム」の状態遷移動作を行うためのマジックパケットを該当するコンピュータ装置（社員コード（利用者コード）Ｃ１に対応するコンピュータ装置）に送信する（Ａ１２）。該コンピュータ装置のコンピュータ電源制御受信部（図１３の３０２）は、ステップＡ１２で送信されたマジックパケットを受信し、コンピュータ電源制御部３０３を使用して該コンピュータ装置に「レジューム」の状態遷移動作を行う。これにより、該コンピュータ装置の電源状態は稼働状態に移行する（Ａ１３）。
【００８２】
次に、電源制御装置（図４の４）は、コンピュータ装置データベース（図１１の６）内のステータスを動作中（稼動状態）に更新し、入退館・入退室管理連携部（図１０の２０２）がコンピュータ電源制御連携部（図６の１０６）に対して、設置エリア情報データベース（図９の１１１）の動作中（稼動状態）のＰＣの数をカウントアップする指示を出す（Ａ１４）。以上が、社員（利用者）が入館、入室を行った場合のコンピュータ装置（図４の１８ａ〜ｆ）に対して行われる電源制御に関する動作である。
【００８３】
次に、図１５は、社員（利用者）が部屋（図４の１２ａ、１２ｂ）から退室した後、建物１１から退館した場合のコンピュータ装置（図４の１８ａ〜ｆ）に対して行われる電源制御に関する動作を示している。
【００８４】
図１５において、退室認証装置（図４の１６ａ、１６ｂ）は、社員証ＩＤが記録されたＩＣカードを読み取る（Ｂ１）。入退館・入退室管理装置（図４の２）は、利用者データベース（図５の３）を用いて、読み取られた社員証ＩＤに対応する社員コード（利用者コード）Ｃ１、及び入退館・入退室情報Ｃ２（入退館・入退室情報Ｃ２は「退室」、退室した部屋の退室認証装置（１６ａ、１６ｂのいずれか）の情報）を出力する。基本機能部（図６の１０１）は、入退館・入退室情報Ｃ２に基づいて認証がどの部屋（図４の１２ａ、１２ｂのいずれか）からの退室であるかという情報を取得する（Ｂ２）。
【００８５】
次に、入退館・入退室管理装置（図４の２）は、認証ステータス管理データベース（図７の１０９）内の入退室情報と入退館／入退室ステータスを「退室」に更新し、入室情報データベース（図８の１１０）の入室数をカウントダウンする（Ｂ３）。入退館・入退室管理装置（図４の２）は、コンピュータ電源制御連携部（図６の１０６）を使用して、電源制御装置（図４の４）に、社員コード（利用者コード）Ｃ１、及び入退館・入退室情報Ｃ２を送信する（Ｂ４）。
【００８６】
次に、電源制御装置４の基本機能部（図１０の２０１）は、入退館・入退室管理装置（図４の２）のコンピュータ電源制御連携部（図６の１０６）から送られてきた社員コード（利用者コード）Ｃ１を基に、コンピュータ装置データベース（図１１の６）内の社員コード（利用者コード）Ｃ１に対応するＰＣ設置場所情報を取得する。また、電源制御装置４の基本機能部（図１０の２０１）は、入退館・入退室管理装置（図４の２）のコンピュータ電源制御連携部（図６の１０６）から送られてきた入退館・入退室情報Ｃ２が示す退室時の部屋（１２ａ、１２ｂのいずれか）の情報を取得する。そして、基本機能部（図１０の２０１）は、ＰＣ設置場所情報と入退館・入退室情報Ｃ２が示す退室時の部屋（１２ａ、１２ｂのいずれか）の情報の一致・不一致により、退室した社員（利用者）のコンピュータ装置（図４の１８ａ〜ｆのいずれか）が退室した部屋に存在していたか否かを判定する（Ｂ５）。
【００８７】
退室した社員（利用者）のコンピュータ装置（図４の１８ａ〜ｆのいずれか）が退室した部屋に存在していたと判定された場合（Ｂ５でＹｅｓの場合）、コンピュータ装置データベース（図１１の６）内のステータスを取得する。基本機能部（図１０の２０１）は、コンピュータ電源制御データベース（図１２の２０５）を参照して、どの状態遷移動作をさせるかの情報を取得する（退室時の状態遷移動作は、「スリープ」である）。また、基本機能部（図１０の２０１）は、コンピュータ装置データベース（図１１の６）を検索して社員コード（利用者コード）Ｃ１に対応するＩＰアドレス、ＭＡＣアドレス、及びステータスを取得する。また、基本機能部（図１０の２０１）は、コンピュータ電源制御部（図１０の２０３）を使用して、「スリープ」の状態遷移動作を行うためのマジックパケットを該当するコンピュータ装置（社員コード（利用者コード）Ｃ１に対応するコンピュータ装置）に送信する（Ｂ６）。該コンピュータ装置のコンピュータ電源制御受信部（図１３の３０２）は、ステップＢ６で送信されたマジックパケットを受信し、コンピュータ電源制御部（図１３の３０３）を使用して該コンピュータ装置に「スリープ」の状態遷移動作を行う。これにより、該コンピュータ装置の電源状態はスリープ状態に移行する（Ｂ７）。
【００８８】
次に、電源制御装置（図４の４）は、コンピュータ装置データベース（図１１の６）内のステータスをスリープ状態に更新し、入退館・入退室管理連携部（図１０の２０２）がコンピュータ電源制御連携部（図６の１０６）に対して、設置エリア情報データベース（図９の１１１）の動作中（稼動状態）のＰＣの数をカウントダウンする指示を出す（Ｂ８）。
【００８９】
次に、入室認証装置（図４の１５ａ、１５ｂ）は、社員証ＩＤが記録されたＩＣカードを読み取ると（Ｂ９でＹｅｓ）、図１４のステップＡ５に戻り、入室時の動作を繰り返す。一方、社員（利用者）が、再度入室するのではなく退館する場合（Ｂ９でＮｏ）、退館認証装置（図４の１４）は、社員証ＩＤが記録されたＩＣカードを読み取る（Ｂ１０）。入退館・入退室管理装置（図４の２）は、利用者データベース（図５の３）を用いて、読み取られた社員証ＩＤに対応する社員コード（利用者コード）Ｃ１、及び入退館・入退室情報Ｃ２（入退館・入退室情報Ｃ２は「退館」）を出力する。入退館・入退室管理装置（図４の２）は、認証ステータス管理データベース（図７の１０９）内の入退館情報、及び入退館／入退室ステータスを「退館」に更新する（Ｂ１１）。入退館・入退室管理装置２は、コンピュータ電源制御連携部（図６の１０６）を使用して、電源制御装置（図４の４）に、社員コード（利用者コード）Ｃ１、及び入退館・入退室情報Ｃ２を送信する（Ｂ１２）。
【００９０】
次に、電源制御装置（図４の４）は、コンピュータ装置データベース（図１１の６）内の該当するコンピュータ装置（社員コード（利用者コード）Ｃ１に対応するコンピュータ装置）のステータスを取得する。現在のステータスがスリープ状態の場合（Ｂ１３で現ステータス：スリープの場合）、基本機能部（図１０の２０１）は、コンピュータ電源制御データベース（図１２の２０５）を参照し、どの状態遷移動作をさせるかの情報を取得する（退館時の状態遷移動作は、「レジューム」→「電源ｏｆｆ」である）。また、基本機能部（図１０の２０１）は、コンピュータ装置データベース（図１１の６）を検索して社員コード（利用者コード）Ｃ１に対応するＩＰアドレス、ＭＡＣアドレス、及びステータスを取得する。また、基本機能部（図１０の２０１）は、コンピュータ電源制御部（図１０の２０３）を使用して、「レジューム」の状態遷移動作を行うためのマジックパケットを該当するコンピュータ装置（社員コード（利用者コード）Ｃ１に対応するコンピュータ装置）に送信する（Ｂ１４）。該コンピュータ装置のコンピュータ電源制御受信部（図１１３の３０２）は、ステップＢ１４で送信されたマジックパケットを受信し、コンピュータ電源制御部（図１３の３０３）を使用して該コンピュータ装置に「レジューム」の状態遷移動作を行う。これにより、該コンピュータ装置の電源状態は一旦、稼働状態に移行する（Ｂ１５）。
【００９１】
続いて、基本機能部（図１０の２０１）は、コンピュータ電源制御部（図１０の２０３）を使用して、「電源ｏｆｆ」の状態遷移動作を行うためのマジックパケットを該当するコンピュータ装置（社員コード（利用者コード）Ｃ１に対応するコンピュータ装置）に送信する（Ｂ１６）。該コンピュータ装置のコンピュータ電源制御受信部（図１３の３０２）は、ステップＢ１６で送信されたマジックパケットを受信し、コンピュータ電源制御部（図１３の３０３）を使用して該コンピュータ装置に「電源ｏｆｆ」の状態遷移動作を行う。これにより、該コンピュータ装置の電源状態は、電源ｏｆｆ状態に移行する（Ｂ１７）。
【００９２】
次に、電源制御装置４は、コンピュータ装置データベース（図１１の６）内のステータスを電源オフ状態に更新する（Ｂ１８）。以上が、社員（利用者）が退室、退館を行った場合のコンピュータ装置（図４の１８ａ〜ｆ）に対して行われる電源制御に関する動作である。
【００９３】
また、図１５において、ステップＢ８の後（即ち、社員（利用者）が退室する動作を行った後）、並行して照明装置・空調装置の電源制御（Ｂ１９）を行う。なお、照明装置・空調装置の電源制御（Ｂ１９）の詳細は、図１６の説明で、後述される。
【００９４】
次に、図１６は、図１５に示した照明装置・空調装置の電源制御（Ｂ１９）の詳細を示すフローチャートである。照明装置・空調装置の電源制御（Ｂ１９）では、図４に示した照明装置２３ａ〜ｃ、及び空調装置２４ａ〜ｃの電源オフの制御を行っている。
【００９５】
入退館・入退室管理装置２において、社員（利用者）の退室時等に、設置エリア情報データベース（図９の１１１）の該当エリア（社員（利用者）が退室したエリア）の動作中（稼動状態）のＰＣの数、及び入室情報データベース（図８の１１０）の該当する部屋番号（社員（利用者）が退室した部屋）の入室数がカウントダウンされる（図１５のＢ３、Ｂ８）。上記のカウントダウンにより、該当する部屋（１２ａ、１２ｂのいずれか）の入室者が０となっている場合（Ｃ１でＹｅｓの場合）、入退館・入退室管理装置２の基本機能部（図６の１０１）は、該当する部屋の照明装置及び空調装置をオフする（Ｃ２）。具体的には、該当する部屋が（図４の１２ａ）の場合、照明装置（図４の２３ａ）、空調装置（図４の２４ａ）がオフされる。また、該当する部屋が（図４の１２ｂ）の場合、照明装置（図４の２３ｂ〜ｃ）、空調装置（図４の２４ｂ〜ｃ）がオフされる。
【００９６】
一方、該当する部屋（図４の１２ａ、１２ｂのいずれか）の入室者が０でない場合（Ｃ１でＮｏの場合）、設置エリア情報データベース（図９の１１１）の該当するエリア（図４の２５ａ〜ｃのいずれか）の動作中（稼動状態）のＰＣの数が０か否かを判定する（Ｃ３）。該当するエリアの動作中（稼動状態）のＰＣの数が０の場合（Ｃ３でＹｅｓの場合）、入退館・入退室管理装置２の基本機能部（図６の１０１）は、該当するエリアの照明装置及び空調装置をオフする（Ｃ５）。具体的には、該当するエリアが（図４の２５ｂ）の場合、照明装置（図４の２３ｂ）、空調装置（図４の２４ｂ）がオフされる。また、該当するエリアが（図４の２５ｃ）の場合、照明装置（図４の２３ｃ）、空調装置（図４の２４ｃ）がオフされる（なお、エリア（図４の２５ａ）は、ステップＣ２のほうで処理される）。
【００９７】
また、ステップＣ３でＮｏと判定された場合、一定時間経過後（Ｃ４）に、ステップＣ１に戻り、処理を繰り返す。
【００９８】
次に、第１の実施形態に係る電源制御システム１の作用効果について説明する。
【００９９】
電源制御システム１では、入退館・入退室管理装置（図４の２）が建物（図４の１１）に対する入退館、及び建物（図４の１１）内の部屋（図４の１２ａ、１２ｂ）に対する入退室を監視し、電源制御装置（図４の４）は入退館・入退室管理装置（図４の２）が出力した利用者コードＣ１、及び入退館・入退室情報Ｃ２を用いて認証に成功した利用者が使用するコンピュータ装置（図４の１８ａ〜ｆ）の電源状態を制御するようにしている。そして、利用者が退館した場合には長期間コンピュータ装置を使用しない可能性が高いため、電力消費がほとんどない電源オフ状態に移行させることで、消費電力を削減するようにしている。また、利用者が退室した場合には、また入室してコンピュータ装置を使用する可能性があるため、電源オフ状態よりは電力消費があるが、稼動状態への復帰時間が短いスリープ状態に移行させている。上記のように、入退館・入退室管理装置２と電源制御装置４が連携することで、利用者のステータス（入館、退館、入室、退室等）に応じた電源制御を行うことができる。これにより、利用者の利便性を確保しつつ、コンピュータ装置の消費電力を削減することに貢献しうる電源制御システムを提供することが可能になる。
【０１００】
また、退館時には、電源制御システム１によりコンピュータ装置（図４の１８ａ〜ｆ）を確実にオフすることができるので、電源オフの忘れ等による無駄な電力消費をなくすことができる。
【０１０１】
また、本願発明者の検討によると、利用者が一時的な離席で退室する場合、ある時間内であれば、稼動状態に復帰させる電力消費を含めると、スリープ状態にしたほうが電源オフ状態にした場合よりも、少ない消費電力で済む場合があることが分かっている。そのため、ある時間内の離席で退室する場合であれば、消費電力が少なく、且つ利用者の利便性（稼動状態までの復帰時間が短いこと等）も確保することができるという効果が得られる。
【０１０２】
また、第１の実施形態では、コンピュータ装置（図４の１８ａ〜ｆ）に対する電源制御に加えて、入退館・入退室管理装置２が各部屋（図４の１２ａ、１２ｂ）内の人数を監視し、人数が０になった部屋に設置された照明装置（図４の２３ａ〜ｃ）、空調装置（図４の２４ａ〜ｃ）の電源をオフするように制御することができる。これにより、オフィス内の消費電力をさらに削減することができる。また、利用者が最終退室すると自動的に照明装置（図４の２３ａ〜ｃ）、空調装置（図４の２４ａ〜ｃ）の電源がオフされるので、利用者の負担を軽減することができる。また、電源オフの忘れ等による無駄な電力消費をなくすことができる。
【０１０３】
さらに、図４の部屋１２ｂでは、部屋内を複数のエリア（２５ｂ、２５ｃ）に分け、各々のエリアに対する照明装置（２３ｂ、２３ｃ）、空調装置（２４ｂ、２４ｃ）をエリア毎に個別にオン・オフ可能に構成している。そして、各エリアに設置されたコンピュータ装置のうち、ステータスが稼動状態であるコンピュータ装置の数が０になったことを検知して、対応するエリアの照明装置（２３ｂ、２３ｃのいずれか）、空調装置（２４ｂ、２４ｃのいずれか）をオフするように制御している。このように、コンピュータ装置１８ｄ〜ｆのステータスに基づいてエリア毎に照明装置（２３ｂ、２３ｃ）、空調装置（２４ｂ、２４ｃ）の制御を行うことで、さらに消費電力を削減することが可能になる。
【０１０４】
なお、第１の実施形態の電源オフ状態に代えて、休止状態（「ハイバネーション」ともいう）を使用するようにしてもよい。休止状態は、作業状態をハードディスクなどに保存して、一時的に動作を停止し、電力消費を抑えた電源状態である。
【０１０５】
また、第１の実施形態では、建物（図４の１１）に対する入退館時と、建物（図４の１１）内の部屋（図４の１２ａ、１２ｂ）に対する入退室時において、認証する場合について説明したが、これに限定されるものではない。例えば、特定管理エリア（例えば、工場の敷地内等）のゲートにおいて入門時、退門時に認証を行い、該特定管理エリア内の建物の各部屋に対する入室時、退室時に認証を行う場合に、第１の実施形態で開示した内容を適用することができる。この場合、特定管理エリアのゲート（特定管理エリアの外部）に入門認証装置を設置し、特定管理エリアのゲート（特定管理エリアの内部）に、退門認証装置を設置し、入退門・入退室管理装置（図４の入退館・入退室管理装置２に相当）が、入門認証装置、退門認証装置、入室認証装置（図４の１５ａ、１５ｂ）、退室認証装置（図４の１６ａ、１６ｂ）で取得した情報を基に認証を行えばよい。
【０１０６】
なお、実施形態における電源制御装置４の制御部５が実行する各々の処理は、不図示の記憶部にプログラムとして格納され、電源制御装置４が備えたＣＰＵ（Central Processing Unit）によって呼び出されて実行される。また、そのプログラムは、プログラムを記憶した（non-transitoryな）記憶媒体により提供することができる。
【０１０７】
上記の実施形態の一部又は全部は、以下の付記のようにも記載されうるが、以下には限られない。
【０１０８】
（付記１）
入館の認証に必要な情報を取得する入館認証装置と、
退館の認証に必要な情報を取得する退館認証装置と、
入室の認証に必要な情報を取得する入室認証装置と、
退室の認証に必要な情報を取得する退室認証装置と、
入館及び退館が許可された利用者の情報と、入室及び退室が許可された利用者の情報とを、登録した利用者データベースを含み、前記入館認証装置、前記退館認証装置、前記入室認証装置、及び前記退室認証装置の各々で取得された前記情報をキーに前記利用者データベースを検索して認証を行い、前記認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を出力する入退館・入退室管理装置と、
前記利用者を識別する情報に対応して設けられた電子機器と、
利用者を識別する情報毎に対応する電子機器の情報を登録した電子機器データベースと、前記入退館・入退室管理装置が出力した利用者を識別する情報をキーに前記電子機器データベースを検索して当該利用者を識別する情報に対応した電子機器の情報を取得し、前記入退館・入退室管理装置が出力した前記入退館・入退室情報に応じて当該利用者を識別する情報に対応した電子機器の電源状態を制御する制御部と、を含む電源制御装置と、
を備え、
前記電源制御装置の制御部は、
前記入退館・入退室情報が前記入室認証装置を示す場合に、第１の電源状態に前記電子機器の電源状態を移行し、
前記入退館・入退室情報が前記退室認証装置を示す場合に、前記第１の電源状態よりも消費電力が少ない第２の電源状態に前記電子機器の電源状態を移行するように制御する、ことを特徴とする電源制御システム。
【０１０９】
（付記２）
前記電源制御装置の制御部は、
前記入退館・入退室情報が前記退館認証装置を示す場合に、前記第２の電源状態よりも消費電力が少なく、前記第１の電源状態で動作可能な状態に復帰するまでに要する時間が前記第２の電源状態よりも長い第３の電源状態に、前記電子機器の電源状態を移行するように制御する、ことを特徴とする付記１に記載の電源制御システム。
【０１１０】
（付記３）
前記電源制御装置の前記制御部は、前記電子機器を前記第２の電源状態から前記第３の電源状態に移行させるときに、前記電子機器を前記第１の電源状態に移行させた後に、前記第３の電源状態に移行させることを特徴とする付記１または２に記載の電源制御システム。
【０１１１】
（付記４）
前記第１の電源状態は稼働状態であり、前記第２の電源状態はスリープ状態であり、前記第３の電源状態は電源オフ状態であることを特徴とする付記２または３に記載の電源制御システム。
【０１１２】
（付記５）
前記電源制御装置の前記制御部による電源状態の制御は、ＷＯＬ（Ｗａｋｅ  Ｏｎ  ＬＡＮ）により行われることを特徴とする付記１乃至４のいずれか一に記載の電源制御システム。
【０１１３】
（付記６）
前記入退館・入退室管理装置は、部屋への入室及び部屋からの退室に対する認証に基づいて、前記部屋内の人数を監視し、
前記入退館・入退室管理装置により監視された前記部屋内の人数が０になったことを受けて、前記部屋に設置されている環境設備をオフするように制御する、ことを特徴とする付記１乃至５のいずれか一に記載の電源制御システム。
【０１１４】
（付記７）
前記入退館・入退室管理装置は、部屋内の複数のエリアの各々に対して設置された環境設備を個別にオン・オフ制御するように構成され、
前記電子機器データベースは、前記利用者を識別する情報に対応した前記電子機器が設置されている前記エリアの情報をさらに含み、
前記電源制御装置の前記制御部は、前記複数のエリアの各々に対して、前記第１の電源状態にある前記電子機器の数を監視し、
前記入退館・入退室管理装置は、前記電源制御装置の前記制御部より、前記複数のエリアのうち、前記第１の電源状態にある前記電子機器の数が０になった前記エリアの情報を受けて、当該エリアに対応した前記環境設備をオフするように制御する、ことを特徴とする付記１乃至６のいずれか一に記載の電源制御システム。
【０１１５】
（付記８）
特定管理エリアへ入門するための認証に必要な情報を取得する入門認証装置と、
前記特定管理エリアから退門するための認証に必要な情報を取得する退門認証装置と、
前記特定管理エリア内の部屋へ入室するための認証に必要な情報を取得する入室認証装置と、
前記特定管理エリア内の前記部屋から退室するための認証に必要な情報を取得する退室認証装置と、
前記特定管理エリアに対する入門及び退門が許可された利用者の情報と、前記部屋に対する入室及び退室が許可された利用者の情報とを、登録した利用者データベースを含み、前記入門認証装置、前記退門認証装置、前記入室認証装置、及び前記退室認証装置の各々で取得された前記情報をキーに前記利用者データベースを検索して認証を行い、前記認証に成功した利用者に付与された利用者を識別する情報と、前記認証が前記入門認証装置、前記退門認証装置、前記入室認証装置、及び前記退室認証装置のうち、いずれの認証装置によるものであるかを示す入退門・入退室情報と、を出力する入退門・入退室管理装置と、
前記利用者を識別する情報に対応して設けられた電子機器と、
利用者を識別する情報毎に対応する電子機器の情報を登録した電子機器データベースと、前記入退門・入退室管理装置が出力した利用者を識別する情報をキーに前記電子機器データベースを検索して当該利用者を識別する情報に対応した電子機器の情報を取得し、前記入退門・入退室管理装置が出力した前記入退門・入退室情報に応じて当該利用者を識別する情報に対応した電子機器の電源状態を制御する制御部と、を含む電源制御装置と、
を備え、
前記電源制御装置の制御部は、
前記入退門・入退室情報が前記入室認証装置を示す場合に、第１の電源状態に前記電子機器の電源状態を移行し、
前記入退門・入退室情報が前記退室認証装置を示す場合に、前記第１の電源状態よりも消費電力が少ない第２の電源状態に前記電子機器の電源状態を移行するように制御する、ことを特徴とする電源制御システム。
【０１１６】
（付記９）
前記入退門・入退室情報が前記退門認証装置を示す場合に、前記第２の電源状態よりも消費電力が少なく、前記第１の電源状態で動作可能な状態に復帰するまでに要する時間が前記第２の電源状態よりも長い第３の電源状態に、前記電子機器の電源状態を移行するように制御する、ことを特徴とする付記８に記載の電源制御システム。
【０１１７】
（付記１０）
入館の認証に必要な情報を取得する入館認証装置、退館の認証に必要な情報を取得する退館認証装置、入室の認証に必要な情報を取得する入室認証装置、及び退室の認証に必要な情報を取得する退室認証装置の各々で取得された前記情報に基づいて行われた認証に成功した利用者に付与された利用者を識別する情報と、前記認証が前記入館認証装置、前記退館認証装置、前記入室認証装置、及び前記退室認証装置のうち、いずれの認証装置によるものであるかを示す入退館・入退室情報と、を取得し、
利用者を識別する情報毎に対応する電子機器の情報を登録した電子機器データベースと、
前記認証に成功した利用者に付与された利用者を識別する情報をキーに前記電子機器データベースを検索して当該利用者を識別する情報に対応した電子機器の情報を取得し、前記入退館・入退室情報に応じて当該利用者を識別する情報に対応した前記電子機器の電源状態を制御する制御部と、
を備え、
前記制御部は、
前記入退館・入退室情報が前記入室認証装置を示す場合に、第１の電源状態に前記電子機器の電源状態を移行するように制御し、
前記入退館・入退室情報が前記退室認証装置を示す場合に、前記第１の電源状態よりも消費電力が少ない第２の電源状態に前記電子機器の電源状態を移行するように制御する、ことを特徴とする電源制御装置。
【０１１８】
（付記１１）
前記制御部は、
前記入退館・入退室情報が前記退館認証装置を示す場合に、前記第２の電源状態よりも消費電力が少なく、前記第１の電源状態で動作可能な状態に復帰するまでに要する時間が前記第２の電源状態よりも長い第３の電源状態に、前記電子機器の電源状態を移行するように制御する、ことを特徴とする付記１０に記載の電源制御装置。
【０１１９】
（付記１２）
前記制御部は、前記電子機器を前記第２の電源状態から前記第３の電源状態に移行させるときに、前記電子機器を前記第１の電源状態に移行させた後に、前記第３の電源状態に移行させることを特徴とする付記１１に記載の電源制御装置。
【０１２０】
（付記１３）
前記第１の電源状態は稼働状態であり、前記第２の電源状態はスリープ状態であり、前記第３の電源状態は電源オフ状態であることを特徴とする付記１１または１２に記載の電源制御装置。
【０１２１】
（付記１４）
前記制御部による電源状態の制御は、ＷＯＬ（Ｗａｋｅ  Ｏｎ  ＬＡＮ）により行われることを特徴とする付記１０乃至１３のいずれか一に記載の電源制御装置。
【０１２２】
（付記１５）
入館の認証を行う第１の認証ステップと、
退館の認証を行う第２の認証ステップと、
入室の認証を行う第３の認証ステップと、
退室の認証を行う第４の認証ステップと、
前記第１乃至第４の認証ステップの各々において、認証に成功した利用者に付与されている利用者を識別する情報と、前記認証が入館、退館、入室、及び退室のいずれに対する認証であるかを示し、前記認証が入室又は退室に対する認証である場合には対応する部屋の情報を含む入退館・入退室情報とを出力するステップと、
利用者を識別する情報毎に対応する電子機器の情報を登録した電子機器データベースを、前記認証に成功した利用者に付与された利用者を識別する情報をキーに検索して、当該利用者を識別する情報に対応した電子機器の情報を取得するステップと、
前記入退館・入退室情報が入室に対する認証を示す場合に、第１の電源状態に前記電子機器の電源状態を移行するように制御する第１の制御ステップと、
前記入退館・入退室情報が退室に対する認証を示す場合に、前記第１の電源状態よりも消費電力が少ない第２の電源状態に前記電子機器の電源状態を移行するように制御する第２の制御ステップと、
を含むことを特徴とする電源制御方法。
【０１２３】
（付記１６）
前記入退館・入退室情報が退館に対する認証を示す場合に、前記第２の電源状態よりも消費電力が少なく、前記第１の電源状態で動作可能な状態に復帰するまでに要する時間が前記第２の電源状態よりも長い第３の電源状態に、前記電子機器の電源状態を移行するように制御する第３の制御ステップをさらに含むことを特徴とする付記１５の電源制御方法。
【０１２４】
（付記１７）
前記第３の制御ステップにおいて、前記電子機器を前記第２の電源状態から前記第３の電源状態に移行させるときに、前記電子機器を前記第１の電源状態に移行させた後に、前記第３の電源状態に移行させることを特徴とする付記１６に記載の電源制御方法。
【０１２５】
（付記１８）
前記第１の電源状態は稼働状態であり、前記第２の電源状態はスリープ状態であり、前記第３の電源状態は電源オフ状態であることを特徴とする付記１６または１７に記載の電源制御方法。
【０１２６】
（付記１９）
入館の認証、退館の認証、入室の認証、及び退室の認証の各々において認証に成功した利用者に付与された利用者を識別する情報と、前記認証が入館、退館、入室、及び退室のいずれに対する認証であるかを示し、前記認証が入室又は退室に対する認証である場合には対応する部屋の情報を含む入退館・入退室情報と、を取得する処理と、
利用者を識別する情報毎に対応する電子機器を登録した電子機器データベースを、前記認証に成功した利用者に付与されている利用者を識別する情報をキーに検索して、当該利用者を識別する情報に対応した電子機器の情報を取得する処理と、
前記入退館・入退室情報が入室に対する認証を示す場合に、前記電子機器の電源状態を第１の電源状態に移行するように制御する処理と、
前記入退館・入退室情報が退室に対する認証を示す場合に、前記電子機器の電源状態を前記第１の電源状態よりも消費電力が少ない第２の電源状態に移行するように制御する処理と、をコンピュータに実行させることを特徴とするプログラム。
【産業上の利用可能性】
【０１２７】
本発明は、入退館・入退室の認証と連動させて、オフィス内のコンピュータ装置、照明装置、及び空調装置等の電源制御を行うことにより、省エネルギー化に貢献しうる電源制御システムに適用することができる。
【０１２８】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１２９】
１：電源制御システム
２：入退館・入退室管理装置
３：利用者データベース（利用者ＤＢ）
４：電源制御装置
５：制御部
６：電子機器データベース（コンピュータ装置データベース（コンピュータ装置ＤＢ））
１１：建物
１２ａ〜ｂ：部屋
１３：入館認証装置
１４：退館認証装置
１５ａ〜ｂ：入室認証装置
１６ａ〜ｂ：退室認証装置
１８ａ〜ｆ：電子機器（コンピュータ装置（ＰＣ））
２１ａ〜ｂ、２３ａ〜ｃ：照明装置（環境設備）
２２ａ〜ｂ、２４ａ〜ｃ：空調装置（環境設備）
２５ａ〜ｃ：エリア
１０１：（入退館・入退室管理装置の）基本機能部
１０２：入退館認証制御部
１０４：入退室認証制御部
１０６：コンピュータ電源制御連携部
１０７：認証部
１０９：認証ステータス管理データベース（認証ステータス管理ＤＢ）
１１０：入室情報データベース（入室情報ＤＢ）
１１１：設置エリア情報データベース（設置エリア情報ＤＢ）
２０１：（電源制御装置の）基本機能部
２０２：入退館・入退室管理連携部
２０３：（電源制御装置の）コンピュータ電源制御部
２０５：コンピュータ電源制御データベース（コンピュータ電源制御ＤＢ）
３０２：コンピュータ電源制御受信部
３０３：（コンピュータ装置の）コンピュータ電源制御部
Ｃ１：社員コード（利用者コード）（利用者を識別する情報）
Ｃ２：入退館・入退室情報
【図１】
2015106350.tif 000003
【図２】
2015106350.tif 000004
【図３】
2015106350.tif 000005
【図４】
2015106350.tif 000006
【図５】
2015106350.tif 000007
【図６】
2015106350.tif 000008
【図７】
2015106350.tif 000009
【図８】
2015106350.tif 000010
【図９】
2015106350.tif 000011
【図１０】
2015106350.tif 000012
【図１１】
2015106350.tif 000013
【図１２】
2015106350.tif 000014
【図１３】
2015106350.tif 000015
【図１４】
2015106350.tif 000016
【図１５】
2015106350.tif 000017
【図１６】
2015106350.tif 000018